(57)【要約】【課題】ロープが撓んでしまい、ロープの隙間から浮石などが落ちてしまうことを防止するため、ロープを折曲させて締着することができ、ロープを緊張状態で張設することができるロープクリップを提供すること。【解決手段】ロープを挟持する一対の挟持体と、両挟持体を締め付ける緊締具とを具備し、少なくとも一方の挟持体の挟持面にロープを係入するための係入溝を設けるとともに、他方の挟持体の挟持面にロープを係入溝に向けて折曲するための折曲用凸部を設けた。【選択図】          図３
2005042435.tif 000002
【特許請求の範囲】
【請求項１】
ロープを挟持する一対の挟持体と、両挟持体を締め付ける緊締具とを具備し、少なくとも一方の挟持体の挟持面にロープを係入するための係入溝を設けるとともに、他方の挟持体の挟持面にロープを係入溝に向けて折曲するための折曲用凸部を設けたことを特徴とするロープクリップ。
【請求項２】
ロープを挟持する一対の挟持体と、両挟持体を締め付ける緊締具とを具備し、少なくとも一方の挟持体の挟持面にロープを係入するための係入溝を設けるとともに、同係入溝にロープを折曲させる折曲用凸部を設けたことを特徴とするロープクリップ。
【請求項３】
前記係入溝を交差状に２本設けたことを特徴とする請求項１または２に記載のロープクリップ。
【請求項４】
前記折曲用凸部を２本の係入溝の交差部に設けたことを特徴とする請求項１〜３のいずれかに記載のロープクリップ。
【請求項５】
前記係入溝の前記折曲用凸部と対向する位置に折曲用凹部を設けたことを特徴とする請求項１〜４のいずれか１項に記載のロープクリップ。
【発明の詳細な説明】
【技術分野】
【０００１】
本発明は、ロープクリップに関するものである。
【背景技術】
【０００２】
従来、法面の全体にロープを網目状に張り、法面における落石を防止することがある。
【０００３】
また、このようにして、法面上に張設されたロープの交差部をロープクリップにより固定し、ロープとロープの交差部がずれてしまうことを防止して、ロープの隙間から石が転落してしまうことを防止することがある。
【０００４】
このようなロープクリップとして、クリップ本体を一対の挟持体によって構成し、同挟持体にロープを係入するための係入溝を設け、同係入溝中にロープを係入するとともに、両挟持体をボルトなどの緊締具によって締め付けてロープ交差部を締着し、ロープ交点がずれてしまうことを防止するものが知られている（例えば、特許文献１参照）。
【特許文献１】特開平１１−２００３７７号公報
【発明の開示】
【発明が解決しようとする課題】
【０００５】
しかしながら、上記従来のロープクリップでは、ロープを係入溝中に係入するとともに、両挟持体を締め付けてロープを締着することによって、ロープとロープの交点がずれてしまうことは防止できるものの、ロープ自体の引っ張りの緊張が弱く、ロープが撓んでしまい、撓んだロープの間から石が落ちてしまうおそれがあった。
【課題を解決するための手段】
【０００６】
そこで、本発明では、ロープを挟持する一対の挟持体と、両挟持体を締め付ける緊締具とを具備し、少なくとも一方の挟持体の挟持面にロープを係入するための係入溝を設けるとともに、他方の挟持体の挟持面にロープを係入溝に向けて折曲するための折曲用凸部を設けたことを特徴とするロープクリップを提供することとした。
【０００７】
また、ロープを挟持する一対の挟持体と、両挟持体を締め付ける緊締具とを具備し、少なくとも一方の挟持体の挟持面にロープを係入するための係入溝を設けるとともに、同係入溝にロープを折曲させる折曲用凸部を設けることとした。
【０００８】
また、前記係入溝を交差状に２本設けることとした。
【０００９】
また、前記折曲用凸部を２本の係入溝の交差部に設けることとした。
【００１０】
また、前記係入溝の前記折曲用凸部と対向する位置に折曲用凹部を設けることとした。
【発明の効果】
【００１１】
（１）請求項１記載の本発明では、ロープを挟持する一対の挟持体と、両挟持体を締め付ける緊締具とを具備し、少なくとも一方の挟持体の挟持面にロープを係入するための係入溝を設けるとともに、他方の挟持体の挟持面にロープを係入溝に向けて折曲するための折曲用凸部を設けたので、ロープを折曲して締着することができる。したがって、ロープを法面上に緊張した状態で張設することができ、その結果、ロープが撓んでしまい、ロープの間から浮石などが落ちてしまうことを防止することができる。
【００１２】
（２）請求項２記載の本発明では、ロープを挟持する一対の挟持体と、両挟持体を締め付ける緊締具とを具備し、少なくとも一方の挟持体の挟持面にロープを係入するための係入溝を設けるとともに、同係入溝にロープを折曲させる折曲用凸部を設けたので、ロープを横方向に折曲して締着することができる。したがって、ロープを法面上に緊張した状態で張設することができ、その結果、ロープが撓んでしまい、ロープの間から浮石などが落ちてしまうことを防止することができる。
【００１３】
（３）請求項３記載の本発明では、前記係入溝を交差状に２本設けたので、ロープクリップをロープとロープの交差部に設けることができ、ロープの交差部がずれてしまうことを防止しながら、ロープを法面上に緊張した状態で張設することができる。
【００１４】
（４）請求項４記載の本発明では、前記折曲用凸部を２本の係入溝の交差部に設けたので、ロープとロープの交点を折曲して締着することができる。
【００１５】
（５）請求項５記載の本発明では、前記係入溝の前記折曲用凸部と対向する位置に折曲用凹部を設けたので、ロープをより確実に折曲して締着することができる。
【発明を実施するための最良の形態】
【００１６】
本発明に係るロープクリップは、落石を防止するために法面上に張設されたロープを締着して使用するものであり、同ロープクリップは、ロープを挟持する一対の挟持体と、両挟持体を締め付ける緊締具とを具備して構成している。
【００１７】
一対の挟持体の挟持面には、ロープを係入するための係入溝をそれぞれ設けるとともに、各係入溝を交差状に設けて、ロープとロープを交差して締着することができるようにしている。
【００１８】
特に、一方の係入溝には、他方の係入溝に向けてロープを折曲するための折曲用凸部を設けるとともに、他方の係入溝の前記折曲用凸部と対向する位置には、折曲用凹部を設けて、係入溝に係入したロープを確実に折曲させることができるようにしている。
【００１９】
ここで、前記折曲用凸部を２本の係入溝の交差部に設けて、ロープとロープの交点を折曲して締着することもできる。
【００２０】
このようにして、ロープとロープの交差部がずれてしまうことを防止しながら、ロープを折曲して締着することができ、ロープを法面上に緊張した状態で張設することができる。したがって、ロープが撓んでしまい、ロープの間から浮石などが落ちてしまうことを防止することができる。
【実施例１】
【００２１】
図１に示すＡは、本発明に係るロープクリップであり、同ロープクリップＡは落石を防止するために法面上に張設されたワイヤー等からなるロープＷを締着して使用するものである。
【００２２】
以下、このロープクリップＡについて図２〜図６を用いて詳説する。
【００２３】
ここで、本発明に係るロープクリップＡは、張設されたロープＷとロープＷとの交差部に限らず、張設されたロープＷのどの位置においても使用することができるものであるが、以下の実施例においては、ロープＷとロープＷとの交差部に締着して用いる場合について説明する。
【００２４】
ロープクリップＡは、図３に示すように、ロープＷを締着するクリップ本体１を緊締具２によって締め付けて構成している。
【００２５】
このクリップ本体１は、上下一対の相対向する下側挟持体11と、上側挟持体12によって構成し、下側挟持体11と上側挟持体12との間にロープＷとロープＷの交差部を挟持して締着するようにしている。
【００２６】
下側挟持体11は、図４（ａ）に示すように、略楕円板状に形成し、同下側挟持体11の上面を、ロープＷを挟持する挟持面11aとしている。
【００２７】
また、下側挟持体11の長手方向の両端部近傍には、孔17を形成して、後述するボルト３を挿通することができるようにしている。
【００２８】
また、挟持面11aには、下側挟持体11の長手方向の仮想中心線Ｃに対して平面視斜め方向に係入溝13を形成して、ロープＷを係入溝13中に係入することができるようにしている。
【００２９】
係入溝13は、図３および図５に示すように、略半円状に形成し、同係入溝13の深さをロープＷの断面視が略半分の部分を係入することができる深さに形成するとともに、係入溝13の溝幅をロープＷの外径と略同寸法に形成して、ロープＷをより固く係入溝13中に係入することができるようにしている。
【００３０】
なお、本実施例では係入溝13を上記したように形成したが、ロープＷの形状や、ロープＷにロープクリップＡを締着して使用する位置（本実施例では、ロープＷ，Ｗの交差部）などによって、係入溝13を所望の形状、所望の位置に形成することができる。
【００３１】
また、図３、図４（ａ）、図５および図６に示すように、係入溝13の略中央部には、係入溝13の底部13aを係入溝13内へ突出させて折曲用凸部15を形成している。
【００３２】
このようにして、係入溝13の略中央部に折曲用凸部15を形成することで、ロープＷを係入溝13内に係入する際、折曲用凸部15がロープＷを底部13a側より押圧し、ロープＷをロープクリップＡの厚さ方向に折曲させた状態で係入することができる。
【００３３】
なお、折曲用凸部15は、必ずしもこのように係入溝13の略中央部に設けることに限られるものではなく、例えば、係入溝13の両端部近傍にそれぞれ折曲用凸部15を形成するなど、ロープＷを折曲することができる位置、構成、および数でありさえすればよい。
【００３４】
上側挟持体12は、上記した下側挟持体11と基本的構造をほぼ同じくしている。
【００３５】
すなわち、図４（ｂ）に示すように、上側挟持体12は、略楕円板状に形成するとともに、同上側挟持体12の上面（両挟持体11,12を対向させる使用状態において前述の下側挟持体11の挟持面11aと対向する側）を、ロープＷを挟持する挟持面12aとしている。
【００３６】
また、上側挟持体12の長手方向の両端部近傍には、下側挟持体11に形成した孔17と使用状態において符合する位置に後述するボルト３を挿通するための孔18を形成している。
【００３７】
また、挟持面12aには、図４（ｂ）に示すように、ロープＷの断面視が略半分の部分を係入できる半円状の係入溝14を、上側挟持体12の長手方向の仮想中心線Ｃに対して平面視斜め方向に形成している。
【００３８】
ここで、上側挟持体12に形成する係入溝14は、前述の下側挟持体11に形成する係入溝13と平面視で同じ斜め方向に形成している。
【００３９】
このように、係入溝14と係入溝13とをそれぞれ平面視で同じ斜め方向に形成することで、両挟持体11,12のそれぞれの挟持面11a,12aを対向してロープＷを挟持する使用状態において、両係入溝13,14を略直交して対向させることができ、ロープクリップＡをロープＷとロープＷの交差部に設けることができる。
【００４０】
そして、上側挟持体12は、下側挟持体11と以下の点において異なっている。
【００４１】
すなわち、図３および図５に示すように、係入溝14の略中央部に、係入溝14の底部14aを窪ませて折曲用凹部16を形成している。
【００４２】
このようにして、前記折曲用凸部15と折曲用凹部16とを、各係入溝13,14のそれぞれ略中央部に形成することで、両挟持体11,12のそれぞれの挟持面11a,12aを対向させてロープＷを挟持する使用状態において、折曲用凸部15と折曲用凹部16とを各係入溝13,14の交差部に設けることができる。その結果、折曲用凹部16を下側挟持体11の係入溝13に形成した折曲用凸部15に対向するように形成することができる。
【００４３】
したがって、係入溝13,14内にロープＷ，Ｗを係入し、後述する緊締具２によって両挟持体11,12を締め付ける際、ロープＷ，Ｗの交点を各折曲用凹凸部15,16によって確実に折曲させた状態で締着することができる。
【００４４】
なお、折曲用凹部16は必ずしもこのようにして形成する必要はなく、ロープＷを折曲できさえすれば下側挟持体11の係入溝13中に設けた折曲用凸部15に対応した位置、構成、および数を適宜設定して形成することもできる。
【００４５】
さらには、上側挟持体12の係入溝14中に折曲用凹部16を設けず、例えば、下側挟持体11の係入溝13の両端部近傍に折曲用凸部15をそれぞれ形成するとともに、上側挟持体12の係入溝14の中央部に折曲用凸部15を形成してロープＷを二段に折曲させる等、折曲用凸部15だけでロープＷを折曲させるように構成することもできる。
【００４６】
緊締具２は、ボルト３とナット４により構成し、ボルト３を孔17,18に挿通するとともに、同ボルト３をナット４で螺着して両挟持体11,12を締め付けることで、両挟持体11,12で挟持したロープＷを締着できるようにしている。
【００４７】
このようにして、折曲用凹凸部15,16を形成した係入溝13,14中にロープＷ，Ｗを係入し、さらに両挟持体11,12を締め付けることで、ロープＷ，Ｗを交差させるとともにロープＷ，Ｗの交点を折曲して締着することができる。
【００４８】
したがって、ロープＷ，Ｗの交差部がずれてしまうことを防止しながら、ロープＷを法面上に緊張した状態で張設することができ、その結果、ロープＷが撓んでしまい、ロープＷの間から浮石などが落ちてしまうことを防止することができる。
【００４９】
なお、本実施例では、両挟持体11,12を締め付ける緊締具２として、ボルト３とナット４とを用いた構成としているが、ボルトとアンカーとを一体にして構成するアンカーボルト（図示しない）を用いて、両挟持体11,12をボルトで締め付けてロープＷを両挟持体11,12により締着してロープＷの撓みを防止しながら、法面にアンカーを打設してロープＷのずれをさらに防止することもできる。
【００５０】
本発明に係るロープクリップＡは、以上のように構成されており、以下、ロープクリップＡを用いてロープを締着する使用工程について説明する。
【００５１】
まず、法面上に張設されたロープＷ，Ｗを上下側挟持体11,12のそれぞれの係入溝13,14中に係入する。
【００５２】
次に、ロープＷをそれぞれの係入溝13,14中に係入した両挟持体13,14を緊締具２によって締め付ける。このようにして、ロープＷとロープＷの交差部を締着することができる。
【００５３】
この際、係入溝13に形成した折曲用凸部15と係入溝14に形成した折曲用凹部16とにより、ロープＷを折曲させた状態で締着することができる。
【００５４】
このようにして、ロープＷ，Ｗを両挟持片11,12のそれぞれの係入溝13,14中に係入するとともに、両挟持片11,12を締め付けることで、ロープＷ，Ｗの交差部を折曲して締着することができる。したがって、ロープＷ，Ｗの交点がずれてしまうことを防止しながら、ロープＷを法面上に緊張した状態で張設することができ、その結果、ロープＷが撓んでしまい、ロープＷの間から浮石などが落ちてしまうことを防止することができる。
【実施例２】
【００５５】
図７は、実施例２としてのロープクリップＡの各挟持体11,12の平面図であり、他の実施例と構成をほぼ同じくしているが、折曲用凸部15および折曲用凹部16の構成について異なっており、以下、その構成について説明する。
【００５６】
すなわち、実施例２としてのロープクリップＡは、下側挟持体11に設けた係入溝13の一方の端縁部13bを他方の端縁部13cに向けて横方向に突出して折曲用凸部15を形成するとともに、他方の端縁部13cの前記折曲用凸部15に対向する位置を横方向に窪ませて折曲用凹部16を形成している。
【００５７】
また、上側挟持体12に設けた係入溝14の一方の端縁部14bを他方の端縁部14cに向け横方向に突出して折曲用凸部15を形成するとともに、他方の端縁部14cを横方向に窪ませて折曲用凹部16を形成している。
【００５８】
このように構成することで、ロープＷをロープクリップＡの横方向に折曲して、各係入溝13,14中に係入することができる。
【００５９】
このようにして、実施例２としてのロープクリップＡを用いることでもロープＷを折曲させて締着することができ、法面上にロープＷを緊張状態で張設することができる。
【００６０】
なお、折曲用凸部15および折曲用凹部16は、必ずしもこのように構成することに限られるものではなく、例えば、折曲用凸部15と折曲用凹部16とをそれぞれ２つずつ形成して、ロープＷを横方向に二段に折曲させるなど、位置、構成、および数を適宜設定して形成することができる。
【００６１】
また、図中、他の実施例に示した部分に対応する部分には同じ番号を付してその説明を省略する。
【実施例３】
【００６２】
図８に示すＡは、実施例３としてのロープクリップであり、他の実施例と構成をほぼ同じくしているが、下側挟持体11の全体を折曲するとともに、上側挟持体12の全体を折曲している点において異なっており、以下、その構成について説明する。
【００６３】
すなわち、図８に示すように、下側挟持体11の全体を、側面視で中途部より上方に向け折曲して構成している。
【００６４】
このようにして、下側挟持体11の全体を、側面視で中途部より上方に向け折曲させることで、同下側挟持体11の折曲にともなって下側挟持体11の係入溝13の中途部も折曲して、ロープＷを係入溝13の底部13a側より押圧して折曲させる折曲用凸部15を形成することができる。
【００６５】
また、上側挟持体12の全体を、使用状態における側面視で中途部より上方に向け折曲している。
【００６６】
このようにして、上側挟持体12の全体を、使用状態における側面視で中途部より上方に向け折曲させることで、同上側挟持体12の折曲にともなって上側挟持体12の係入溝14の中途部も折曲して窪ませることができ、ロープＷを折曲させる折曲用凹部16を形成することができる。
【００６７】
このようにして、上下挟持体11,12の全体を折曲して形成することでも、各折曲用凹凸部15,16によって、ロープＷを折曲させて締着することができる。
【００６８】
なお、図中、他の実施例に示した部分に対応する部分には同じ番号を付してその説明を省略する。
【図面の簡単な説明】
【００６９】
【図１】本発明に係るロープクリップを使用した状態の全体説明図である。
【図２】実施例１としてのロープクリップの使用状態における平面図である。
【図３】実施例１としてのロープクリップの使用状態における正面図である。
【図４】（ａ）は、実施例１としての下側挟持体の平面図、（ｂ）は、実施例１としての上側挟持体の平面図である。
【図５】図１のII−II線における断面図である。
【図６】図１のＩ−Ｉ線における断面図である。
【図７】（ａ）は、実施例２としての下側挟持体の平面図、（ｂ）は、クリップ本体の上側挟持体の平面図である。
【図８】実施例３としてのロープクリップの使用状態における正面図である。
【符号の説明】
【００７０】
Ａ  ロープクリップ
Ｗ  ロープ
２  緊締具
11  下側挟持体
11a  挟持面
12  上側挟持体
12a  挟持面
13  係入溝
14  係入溝
15  折曲用凸部
16  折曲用凹部
【図１】
2005042435.tif 000003
【図２】
2005042435.tif 000004
【図３】
2005042435.tif 000005
【図４】
2005042435.tif 000006
【図５】
2005042435.tif 000007
【図６】
2005042435.tif 000008
【図７】
2005042435.tif 000009
【図８】
2005042435.tif 000010